(57)【特許請求の範囲】
【請求項１】
負荷に交流電力を供給する主回路と、
この主回路に主回路電流の大きさに応じて遮断動作するように設けられ、手動操作により開閉可能な回路遮断器と、
前記主回路から常用電源が与えられることにより前記負荷を制御する負荷制御手段と、
前記回路遮断器の開閉を検出し、その回路遮断器が閉路状態にあるときには前記負荷制御手段に前記主回路から常用電源を与え、前記回路遮断器が開路状態にあるときには前記負荷制御手段に試験用電源を与えるように切り換える切換手段とを具備し、
前記切換手段は、前記負荷制御手段の内部に設けられ、
前記負荷制御手段に常用電源を与える常用電源線と前記負荷制御手段に試験用電源を与える試験用電源線は、前記負荷制御手段の内部で共通に接続されている負荷制御装置。
【請求項２】
前記切換手段による前記負荷制御手段への試験用電源の供給を可能とする安全スイッチを備えたことを特徴とする請求項１記載の負荷制御装置。
【請求項３】
前記負荷制御手段によって、前記主回路を開閉するように制御される電磁接触器を備え、
前記負荷制御手段は、
前記切換手段が前記負荷制御手段に対して前記試験用電源を供給するように切り換えている状態で、前記回路遮断器が閉路された場合には、前記主回路を開路するように前記電磁接触器を制御することを特徴とする請求項１または請求項２に記載の負荷制御装置。
【発明の詳細な説明】
【技術分野】
【０００１】
本発明は、負荷に対する電力の供給、遮断、保護、監視などの制御機能を備えた負荷制御装置に関する。
【背景技術】
【０００２】
コントロールセンタとして用いられる閉鎖配電盤に格納される負荷制御装置（単位装置）においては、マイクロコンピュータを応用することにより、負荷（例えば、電動機）に対する電力の供給、遮断、保護、監視などの多数の制御機能を備えたものが供されている（例えば、特許文献１参照）。
【先行技術文献】
【特許文献】
【０００３】
【特許文献１】特開平６−１０５４５２号公報
【発明の概要】
【発明が解決しようとする課題】
【０００４】
上記のような負荷制御装置を備えた閉鎖配電盤においては、負荷制御装置が有する機能を試験する場合がある。このような試験は、例えば、閉鎖配電盤の製造時や、設置した閉鎖配電盤の保守点検時に行われる。
【０００５】
ところで、近年では、上記のような試験を負荷制御装置を閉鎖配電盤から引き出すことなく行うことが要求されている。負荷制御装置を引き出すことなく試験を実現可能とするためには、常用運転モードから試験運転モードへ移行するための切換装置が必要となる。ここで、このような切換装置を備えた構成について図４，図５を参照して説明する。図４は、切換装置を備えた負荷制御装置の外観構成を概略的に示す斜視図である。図５は、切換装置を備えた負荷制御装置の回路構成を概略的に示す図である。
【０００６】
図４に示すように、負荷制御装置１０１は、回路遮断器１０２（ＭＣＣＢ：Molded Case Circuit Breaker）、電磁接触器１０３（コンタクタ）、多機能型保護リレー装置１０４（モータマルチリレー）、そして、切換装置１０５（ＣＯＳ：Change Over Switch）を備えている。なお、閉鎖配電盤に格納された負荷制御装置１０１の前面は、収納扉１０６によって覆われるようになっている。
【０００７】
図５に示すように、回路遮断器１０２は、主接点１０２ａおよび補助接点１０２ｂを有し、主接点１０２ａは、負荷である電動機１０７に商用電源からの交流電力を供給する主回路１０８に設けられ、主回路電流の大きさに応じて遮断動作（主接点１０２ａが開、補助接点１０２ｂが閉）するようになっている。また、この回路遮断器１０２は、操作ダイアル１０２ｃ（図４参照）を備えており、使用者が当該操作ダイアル１０２ｃを手動操作することによって、主接点１０２ａを開閉し、補助接点１０２ｂを閉開可能に構成されている。
【０００８】
多機能型保護リレー装置１０４は、主回路１０８から変圧器１０９を介して常用電源が与えられるようになっている。この多機能型保護リレー装置１０４は、電動機１０７に対する電力の供給、遮断、保護、監視などの多数の制御機能を備えており、始動・停止スイッチ１０４ａが操作されると、電動機１０７の駆動を制御するようになっている。
【０００９】
電磁接触器１０３は、多機能型保護リレー装置１０４による制御コイル１０３ａの通断電に応じて主回路１０８を開閉するように制御されるスイッチ１０３ｂを有している。
切換装置１０５は、主スイッチ１０５ａおよび補助スイッチ１０５ｂを有し、主スイッチ１０５ａは、多機能型保護リレー装置１０４に試験用電源を供給する試験用電源回路１１０に設けられている。この切換装置１０５は、操作ダイアル１０５ｃ（図４参照）を備えており、使用者が当該操作ダイアル１０５ｃを手動操作することによって、主スイッチ１０５ａを開閉し、補助スイッチ１０５ｂを閉開可能に構成されている。
【００１０】
回路遮断器１０２の操作ダイアル１０２ｃが「ＯＦＦ」側に操作されて、主接点１０２ａが開路し補助接点１０２ｂが閉路している状態において、使用者が操作ダイアル１０５ｃを試験用電源側に切り換えると、切換装置１０５の主スイッチ１０５ａがオンして、試験用電源回路１１０を閉路する。また、回路遮断器１０２の主接点１０２ａが開かれると、主回路１０８が開路する。これにより、主回路１０８から電動機１０７への交流電力の供給、および、主回路１０８から多機能型保護リレー装置１０４への常用電源の供給が遮断されるとともに、試験用電源回路１１０から多機能型保護リレー装置１０４に試験用電源が供給されるようになっている。
【００１１】
以上の動作により、負荷制御装置１０１は、主回路１０８から電動機１０７に交流電力が供給され多機能型保護リレー装置１０４に常用電源が供給される常用運転モードから、主回路１０８から電動機１０７への交流電力の供給が遮断され多機能型保護リレー装置１０４に試験用電源が供給される試験運転モードに切り換えられ、多機能型保護リレー装置１０４が有する機能の試験を行うことができる状態となる。
【００１２】
なお、負荷制御装置１０１は、切換装置１０５が試験用電源側に切り換えられて試験用電源回路１１０を閉路すると、補助スイッチ１０５ｂが開かれるようになっている。これにより、試験用電源回路１１０からの試験用電源が変圧器１０９を介して電動機１０７に供給されてしまうこと（逆誘起）が防止されるようになっている。
【００１３】
上述した構成の負荷制御装置１０１によれば、使用者は、切換装置１０５を介して試験運転モードに切り換えることで、多機能型保護リレー装置１０４の機能試験を行うことができる。しかしながら、このような切換装置１０５を備えた構成では、当該切換装置１０５の設置スペースを確保しなければならないことから、負荷制御装置１０１の大型化（サイズアップ）、ひいては、閉鎖配電盤の大型化、閉鎖配電盤の設置スペースの増大を招いてしまう。また、特に図４に示すように、使用者が手動により操作する切換装置１０５を備えた構成では、閉鎖配電盤に格納された負荷制御装置１０１の前面を覆う収納扉１０６に、切換装置１０５用の開口１０６ａを設けなければならず、このような加工が手間である。
【００１４】
本発明は上記した事情に鑑みてなされたものであり、その目的は、常用運転モードから試験運転モードへの切り換えを、使用者が手動により操作する切換装置を不要とした構成にて実現することができる負荷制御装置を提供することにある。
【課題を解決するための手段】
【００１５】
本発明の負荷制御装置は、負荷に交流電力を供給する主回路と、この主回路に主回路電流の大きさに応じて遮断動作するように設けられ、手動操作により開閉可能な回路遮断器と、前記主回路から常用電源が与えられることにより前記負荷を制御する負荷制御手段と、前記回路遮断器の開閉を検出し、その回路遮断器が閉路状態にあるときには前記負荷制御手段に前記主回路から常用電源を与え、前記回路遮断器が開路状態にあるときには前記負荷制御手段に試験用電源を与えるように切り換える切換手段とを具備し、前記切換手段は、前記負荷制御手段の内部に設けられ、前記負荷制御手段に常用電源を与える常用電源線と前記負荷制御手段に試験用電源を与える試験用電源線は、前記負荷制御手段の内部で共通に接続されていることに特徴を有する。
【発明の効果】
【００１６】
本発明の負荷制御装置によれば、切換手段は、回路遮断器の開閉を検出し、その回路遮断器が閉路状態にあるときには負荷制御手段に主回路から常用電源を与え、回路遮断器が開路状態にあるときには負荷制御手段に試験用電源を与えるように切り換える。これにより、使用者が手動により操作する切換装置を不要とした構成にて、常用運転と試験運転とを切り換えることができ、常用運転モードから試験運転モードへの切り換えを実現することができる。
【図面の簡単な説明】
【００１７】
【図１】本発明の一実施形態を示すものであり、負荷制御装置の回路構成を概略的に示す図
【図２】閉鎖配電盤の外観構成を概略的に示す斜視図
【図３】１ユニットを概略的に示す拡大斜視図
【図４】従来の負荷制御装置の外観構成を概略的に示す拡大斜視図
【図５】従来の負荷制御装置の回路構成を概略的に示す図
【発明を実施するための形態】
【００１８】
以下、本発明の一実施形態について図１ないし図３を参照しながら説明する。
図１は、コントロールセンタとして用いられる閉鎖配電盤に格納された負荷制御装置の１ユニット分（１単位装置分）の回路構成を概略的に示す図である。図２は、負荷制御装置が格納される閉鎖配電盤の外観構成を概略的に示す斜視図である。図３は、負荷制御装置の１ユニット分の外観構成を概略的に示す拡大斜視図である。
【００１９】
図２に示すように、閉鎖配電盤は、ユニットごとに個別化された複数の負荷制御装置１を縦方向に順に収容しており、各負荷制御装置１は、それぞれに接続された電動機２（負荷の一実施例、図１参照）に対する電力の供給、遮断、保護、監視などの制御を行うようになっている。
【００２０】
図１に示すように、負荷制御装置１は、主回路３と、補助回路４と、多機能型保護リレー装置５（負荷制御手段の一実施例、モータマルチリレー）とから構成されている。
主回路３は、Ｒ相，Ｓ相，Ｔ相からなる三相の交流の商用電源６と、負荷である電動機２との間に設けられている。主回路３は、電動機２に商用電源６からの交流電力を供給するとともに、多機能型保護リレー装置５に常用電源を供給するものである。この主回路３には、回路遮断器７（ＭＣＣＢ：Molded Case Circuit Breaker）の主接点７ａ、電磁接触器８（コンタクタ）の主スイッチ８ａ、変流器９、および、零相変流器１０が設けられている。変流器９は、主回路３に流れる電流（主回路電流）を検出する。零相変流器１０は、主回路３の零相電流（地絡電流）を検出する。
【００２１】
回路遮断器７は、主回路３に、主回路電流の大きさに応じて遮断動作（主接点７ａが開、後述する補助接点７ｂが閉）するように設けられている。また、この回路遮断器７は、操作ダイアル７ｃ（図３参照）を備えており、使用者が当該操作ダイアル７ｃを手動操作することによって、主接点７ａを開閉させるようになっている。なお、回路遮断器７は、主接点７ａの開閉に連動して閉開する補助接点７ｂを有する。
【００２２】
主回路３において回路遮断器７の主接点７ａの負荷側（主回路３の下流側）の何れか２相間には、降圧変圧器１１の一次側巻線１１ａが接続されている。この降圧変圧器１１は、２系統の二次側巻線１１ｂ，１１ｃを備えている。このうち、１系統の二次側巻線１１ｂは、制御電源線１２，１３を介して、多機能型保護リレー装置５の直流電源回路５ａに接続され、当該多機能型保護リレー装置５の駆動電源を生成するために用いられる。他の１系統の二次側巻線１１ｃは、常用電源線１４，１５を介して、補助回路４の動作に用いられる。なお、直流電源回路５ａには、ケーブル１６，１７を介して供給される試験用電源１８の試験用制御電源線１２´，１３´が接続されている。このケーブル１６，１７は、多機能型保護リレー装置５の通信ケーブル（例えば、プログラム書き込み，書き換え用の通信ケーブル）として機能するとともに、試験用電源を多機能型保護リレー装置５に供給するための試験用電源線１４´，１５´にも接続されている。
【００２３】
多機能型保護リレー装置５には、切換回路２６（切換手段の一実施例）が設けられている。この切換回路２６は、切換スイッチ２６ａを有し、その一方の固定接点ａは、常用電源線１４に接続され、他方の固定接点ｂは、安全スイッチ２９を介して試験用電源線１４´に接続され、可動接点ｃは、電源線３０に接続されている。なお、常用電源線１５および試験用電源線１５´は、共通に接続されている。
【００２４】
従って、切換回路２６は、切換スイッチ２６ａによって、電源線３０を常用電源線１４側に接続した状態と、電源線３０を試験用電源線１４´側に接続した状態（図１に示す状態）とに切り換わるようになっている。
【００２５】
多機能型保護リレー装置５の端子２５と、常用電源線１５および試験用電源線１５´の共通接続点との間には、切換回路２６の開閉入力回路２６ｂが接続されており、電源線３０と端子２５との間には回路遮断器７の補助接点７ｂが接続されている。切換回路２６は、この開閉入力回路２６ｂによって回路遮断器７（補助接点７ｂ）の開閉を検出し、その開閉状態に応じて切換スイッチ２６ａを切り換えるようになっている。即ち、切換回路２６は、回路遮断器７が閉路状態（主接点７ａが閉、補助接点７ｂが開の状態）にあるときには、切換スイッチ２６ａを常用電源線１４側（接点ｃ−ａオン）に切り換え、回路遮断器７が開路状態（主接点７ａが開、補助接点７ｂが閉の状態）にあるときには、切換スイッチ２６ａを試験用電源線１４´側（接点ｃ−ｂオン）に切り換えるようになっている。
【００２６】
切換回路２６の安全スイッチ２９は、使用者の手動操作によって閉成する常開型スイッチである。従って、多機能型保護リレー装置５への試験用電源１８の供給は、安全スイッチ２９が操作されて閉成した場合に可能となるようになっている。なお、この安全スイッチ２９は、多機能型保護リレー装置５が備える既存のスイッチを兼用して設けることができる。
【００２７】
補助回路４において、電源線３０と多機能型保護リレー装置５の端子１９との間には、電磁接触器８の制御コイル８ｂが接続されている。電源線３０と多機能型保護リレー装置５の端子２０との間には、電磁接触器８の補助スイッチ８ｃが接続されている。主スイッチ８ａおよび補助スイッチ８ｃは、制御コイル８ｂへの通電に応じて閉成する常開型スイッチである。補助スイッチ８ｃは、多機能型保護リレー装置５に対し、電磁接触器８の主スイッチ８ａの開閉状態を確認するためのアンサーバック信号を出力する。
【００２８】
電源線３０と多機能型保護リレー装置５の端子２１との間には、始動スイッチ２２が接続されている。始動スイッチ２２は、使用者の手動操作によって閉成する常開型スイッチである。電源線３０と多機能型保護リレー装置５の端子２３との間には、停止スイッチ２４が接続されている。停止スイッチ２４は、使用者の手動操作によって開成する常閉型スイッチである。
【００２９】
多機能型保護リレー装置５は、マイクロコンピュータを中心としてＲＯＭ，ＲＡＭなどを備えて構成されており、図示しない書き換え可能な不揮発性メモリ（フラッシュメモリ）に記憶された負荷制御プログラムに基づいて、電動機２への通断電（始動／停止）、保護、監視などの処理（常用運転モード）を行うようになっている。また、多機能型保護リレー装置５は、不揮発性メモリに記憶された試験運転プログラムに基づいて、後述する試験運転モードを実行可能に構成されている。
【００３０】
また、多機能型保護リレー装置５は、判定回路２７を備えている。この判定回路２７は、試験運転中に回路遮断器７の主接点７ａが閉成されて補助接点７ｂが開放されると、電磁接触器８の制御コイル８ｂを断電するようになっている。なお、この判定回路２７は、変流器９の出力信号に基づいて、電動機２の過電流を検出する過電流判定回路としての機能や、零相変流器１０の出力信号に基づいて、電動機２の漏電を検出する漏電判定回路としての機能を備えている。
【００３１】
また、多機能型保護リレー装置５は、変流器９および零相変流器１０の各出力信号をＡ／Ｄ変換して出力する電流検出回路（図示せず）、制御コイル８ｂなどの通電状態、種々の接点の開閉状態、負荷制御状態などを入力する入力回路（図示せず）、制御コイル８ｂなどの通電状態や種々の接点の開閉状態などを変更するための信号を出力する出力回路（図示せず）などを備えている。なお、負荷制御状態とは、電動機２の運転状態（例えば、電動機２の始動・停止、回転速度、加減速などの状態）、当該運転状態を作り出すための負荷制御装置１内の制御コイル８ｂなどの励磁状態、種々の接点の開閉状態などをいう。
【００３２】
なお、図３に示すように、閉鎖配電盤の各ユニット室の前面開口部には、これを開閉する収納扉２８が設けられている。この収納扉２８には、回路遮断器７の操作ダイアル７ｃを外部から操作可能に開口２８ａが形成されている。また、収納扉２８には、多機能型保護リレー装置５の前面の操作表示部を外部に露呈させるための開口２８ｂが形成されている。
【００３３】
次に、負荷制御装置１の動作について説明する。
まず、常用運転時における負荷制御装置１の動作（常用運転モードにおける動作）について説明する。
常用運転時では、回路遮断器７の主接点７ａは閉成される。また、主接点７ａが閉成されたことに応じて、補助接点７ｂは開成される。従って、切換回路２６は、切換スイッチ２６ａを常用電源線１４側（接点ｃ−ａオン）に切り換える。
【００３４】
この状態で、使用者が多機能型保護リレー装置５の始動スイッチ２２を操作すると、多機能型保護リレー装置５は、電磁接触器８の制御コイル８ｂに通電して励磁させる。これにより、電磁接触器８の主スイッチ８ａが閉成され、商用電源６からの交流電力が主回路３から電動機２に供給されて当該電動機２が始動する。また、商用電源６からの交流電力が、主回路３から降圧変圧器１１を経て常用電源として多機能型保護リレー装置５に与えられ、多機能型保護リレー装置５は、電動機２の駆動を制御する。
【００３５】
なお、このとき、電磁接触器８の主スイッチ８ａの閉成に応じて補助スイッチ８ｃが閉成され、多機能型保護リレー装置５にアンサーバック信号が与えられ、補助回路４に自己保持回路が形成されるようになっている。これにより、始動スイッチ２２がオフ状態に戻されても商用電源６から電動機２に電力が供給され続ける。
【００３６】
一方、使用者が多機能型保護リレー装置５の停止スイッチ２４を操作すると、補助回路４に形成された自己保持回路が解除される。これにより、電磁接触器８の主スイッチ８ａが開成され、商用電源６から電動機２への電力の供給が遮断され、電動機２が停止する。
【００３７】
次に、試験運転時における負荷制御装置１の動作（試験運転モードにおける動作）について説明する。なお、この試験運転は、負荷制御装置１を閉鎖配電盤から引き出すことなく行われる。
【００３８】
試験運転時では、使用者が回路遮断器７の操作ダイアル７ｃを手動操作することによって主接点７ａが開成される。これにより、商用電源６から電動機２への交流電力の供給が遮断される。また、主接点７ａが開成されたことに応じて、補助接点７ｂは閉成される。従って、切換回路２６は、切換スイッチ２６ａを試験用電源線１４´側（接点ｃ−ｂオン）に切り換える。これにより、商用電源６から降圧変圧器１１を経て多機能型保護リレー装置５への常用電源の供給が遮断される。さらに、使用者が安全スイッチ２９を操作すると、試験用電源線１４´，１５´を介して、多機能型保護リレー装置５に試験用電源が供給される。なお、多機能型保護リレー装置５は、切換スイッチ２６ａを試験用電源線１４´側（接点ｃ−ｂオン）に切り換えた状態では、試験用制御電源線１２´，１３´を介して、試験用電源を直流電源回路５ａに供給するようになっている。
【００３９】
この状態で、使用者が多機能型保護リレー装置５の始動スイッチ２２を操作すると、多機能型保護リレー装置５は、電磁接触器８の制御コイル８ｂに通電して励磁させ、主スイッチ８ａを閉成させる。使用者は、始動スイッチ２２を操作したことに応じて電磁接触器８の主スイッチ８ａが閉成されたか否かを確認することで、電磁接触器８の動作試験を行うことができる。なお、この試験運転モードでは、商用電源６から電動機２への交流電力の供給が遮断されていることから、電磁接触器８の主スイッチ８ａが閉成されたとしても、電動機２は始動しない。また、このとき、補助回路４に自己保持回路が形成される。これにより、使用者が停止スイッチ２４を操作しない限り、上述した試験運転の状態（電磁接触器８の制御コイル８ｂが励磁されて主スイッチ８ａが閉成された状態）が維持される。
【００４０】
一方、使用者が多機能型保護リレー装置５の停止スイッチ２４を操作すると、補助回路４に形成された自己保持回路が解除される。これにより、電磁接触器８の制御コイル８ｂの励磁が解除され、主スイッチ８ａが開成される。使用者は、停止スイッチ２４を操作したことに応じて電磁接触器８の主スイッチ８ａが開成されたか否かを確認することで、電磁接触器８の動作試験を行うことができる。
【００４１】
次に、上述した試験運転中に誤って回路遮断器７の主接点７ａが閉成された場合における負荷制御装置１の動作について説明する。
多機能型保護リレー装置５の判定回路２７は、開閉入力回路２６ｂを介して、試験運転中における回路遮断器７の開閉状態（主接点７ａおよび補助接点７ｂの開閉状態）を監視するようになっている。そして、試験運転中に回路遮断器７の主接点７ａが閉成されると、判定回路２７は、主回路３を開路するように電磁接触器８の主スイッチ８ａを制御するようになっている。即ち、多機能型保護リレー装置５の判定回路２７は、試験運転中に回路遮断器７の主接点７ａの閉成を検知すると、電磁接触器８の制御コイル８ｂへの通電を直ちに遮断して励磁状態を解除し、主スイッチ８ａを開成させる。これにより、主回路３が開路されるようになっている。
【００４２】
以上に説明したように本実施形態によれば、切換回路２６は、開閉入力回路２６ｂを介して回路遮断器７の開閉を検出し、その回路遮断器７が閉路状態にあるときには多機能型保護リレー装置５に主回路３から常用電源を与えるように切換スイッチ２６ａを切り換え、回路遮断器７が開路状態にあるときには多機能型保護リレー装置５に試験用電源を与えるように切換スイッチ２６ａを切り換える。これにより、使用者が手動により操作する従来構成の切換装置（図４，図５参照）を不要とした構成にて、常用運転と試験運転とを切り換えることができ、常用運転モードから試験運転モードへの切り換えを実現することができる。
【００４３】
また、従来構成の切換装置を不要としたので、当該切換装置の設置スペースを確保する必要がなく、負荷制御装置１の大型化（サイズアップ）、ひいては、閉鎖配電盤の大型化、閉鎖配電盤の設置スペースの増大を抑えることができる。
【００４４】
また、閉鎖配電盤に格納された負荷制御装置１の前面を覆う収納扉２８（図２，図３参照）に、切換装置用の開口を設ける必要がなく、このような開口を設けるための加工の手間を省くことができる。また、切換装置のための配線作業の負担を省くことができる。
【００４５】
また、負荷制御装置１は、切換回路２６による多機能型保護リレー装置５への試験用電源の供給を可能とする安全スイッチ２９を備えた。これにより、使用者の意思（試験運転モードを実行しようとして安全スイッチ２９を操作したこと）を確認した上で試験運転モードを実行することができ、安全に試験運転モードに移行（切換）することができる。
【００４６】
また、試験運転モードに移行した後に、安全スイッチ２９が操作されたことに応じて、試験運転が自動的に実行されるので、試験時間の短縮を図ることができる。
また、多機能型保護リレー装置５は、切換回路２６が当該多機能型保護リレー装置５に対して試験用電源を供給するように切り換えている状態で、回路遮断器７が閉路された場合には、主回路３を開路するように電磁接触器８（主スイッチ８ａ）を制御する。これにより、試験運転中に誤って回路遮断器７が閉成され、主回路３から電動機２に交流電力が供給される状態になったとしても、多機能型保護リレー装置５が電磁接触器８（主スイッチ８ａ）によって主回路３を瞬時に遮断するので、電動機２が不要に動作してしまうことを防止でき、作業者の安全を確保することができる。
【００４７】
また、試験用電源を、通信ケーブルとして機能するケーブル１６，１７を利用して多機能型保護リレー装置５や直流電源回路５ａに供給するようにしたので、従来構成の試験用電源回路１１０や補助スイッチ１０５ｂ、これらに付随する配線などを不要とすることができ、構成の簡素化を図ることができる。
【００４８】
なお、本発明は、上述の一実施形態にのみ限定されるものではなく、例えば次のように変形または拡張することができる。
多機能型保護リレー装置５の試験対象となる機能は、上述の一実施形態に示した電磁接触器８の試験に限られるものではなく、例えば、変流器９の検出値に基づき過電流を判定する過電流判定回路の動作試験、零相変流器１０の検出値に基づき漏電を判定する漏電判定回路の動作試験、異常を報知する警報器の動作試験なども行うことができる。
【００４９】
不揮発性メモリに記憶された試験運転プログラムの内容を適宜変更（書き換え）することによって、様々な試験を行うことができる。
負荷としては、電動機２（モータ）に限られるものではなく、例えば電磁ソレノイドなどであってもよい。
安全スイッチ２９は、多機能型保護リレー装置５が備える既存のスイッチを兼用して設けてもよいし、新たなスイッチとして設けてもよい。
【符号の説明】
【００５０】
図面中、１は負荷制御装置、２は電動機（負荷）、３は主回路、５は多機能型保護リレー装置（負荷制御手段）、７は回路遮断器、８は電磁接触器、２６は切換回路（切換手段）、２９は安全スイッチを示す。
【図１】
0005405243.tif 000002
【図２】
0005405243.tif 000003
【図３】
0005405243.tif 000004
【図４】
0005405243.tif 000005
【図５】
0005405243.tif 000006